(57)【要約】【課題】撮影台において放射線画像検出器の充電や外部装置との通信を行う場合でも、ケーブルやコネクタが邪魔になることなく、放射線画像検出器の取り扱いを容易にする。【解決手段】天板１２内に突出可能に収納されたコネクタ部１１６を備え、コネクタ部１１６は、天板１２内に収納されている状態では、コネクタ部１１６の上面と天板１２の上面とが略同一平面となるように天板内に収納され、電子カセッテ２０の接続部２２と接続する際には、コネクタ部１１６を天板１２上面から突出させることにより、接続部２２と接続可能になる。【選択図】図６
2010115390.tif 000002
【特許請求の範囲】
【請求項１】
被検体を載置するための被検体載置台と、
前記被検体を透過した放射線を前記被検体が前記被検体載置台に載置された状態で検出し、検出した放射線に応じた画像を生成する放射線画像検出器の充電、及び前記放射線画像検出器と外部装置との間の通信の少なくとも一方を行う際に、前記放射線画像検出器と接続可能で、かつ前記被検体載置台の上面及び側面から突出しないように前記被検体載置台に収納された接続手段と、
を含む放射線画像撮影台。
【請求項２】
被検体を載置するための被検体載置台と、
前記被検体を透過した放射線を前記被検体が前記被検体載置台に載置された状態で検出し、検出した放射線に応じた画像を生成する放射線画像検出器の充電、及び前記放射線画像検出器と外部装置との間の通信の少なくとも一方を行う際に、前記被検体載置台の上面または側面から突出して前記放射線画像検出器と接続可能で、かつ前記放射線画像検出器と接続されていない状態で、前記被検体載置台の上面及び側面から突出しないように前記被検体載置台に突出可能に収納される接続手段と、
を含む放射線画像撮影台。
【請求項３】
前記接続手段を、前記被検体載置台の側面または上面に沿って移動可能に収納した請求項１または請求項２記載の放射線画像撮影台。
【請求項４】
前記接続手段を、前記被検体載置台の複数箇所に設けた請求項１〜請求項３のいずれか１項記載の放射線画像撮影台。
【発明の詳細な説明】
【技術分野】
【０００１】
本発明は放射線画像撮影台に係り、特に、可搬性を有する放射線画像検出器を用いた撮影の際に使用される放射線画像撮影台に関する。
【背景技術】
【０００２】
近年、ＴＦＴ（Thin film transistor）アクティブマトリクス基板上にＸ線感応層を配置し、Ｘ線を直接デジタルデータに変換できるＦＰＤ（flat panel detector）が実用化されており、このＦＰＤ等を用いて被検体を透過して照射された放射線により表わされる放射線画像を示す画像データを生成し、生成した画像データを記憶する可搬型放射線画像検出装置（以下「電子カセッテ」ともいう）が実用化されている。
【０００３】
この電子カセッテは、可搬性を有するため、ストレッチャーやベッドに被検体を載せたまま撮影することもでき、電子カセッテの位置を変更することにより撮影箇所を調整することができるため、例えば被検体が動けない患者である場合にも、柔軟に対処することができる。
【０００４】
このような可搬性を有する電子カセッテには、撮影した画像の画像データを記憶するメモリやバッテリが内蔵されており、専用のカセッテスタンドに電子カセッテを挿入して、画像データを外部装置であるコンソールへ転送したり、内蔵されたバッテリを充電したりすることが行われている（例えば、特許文献１参照）。しかし、ベッドで使用した電子カセッテを充電や画像データの転送の都度、カセッテスタンドまで運ばなければならないのは、特にベッドとカセッテスタンドとが離れた場所に置かれている場合などには不便である。
【０００５】
そこで、電子カセッテに外部装置と接続するためのケーブルを設け、また、ベッドの天板側面部には移動可能な把持部を設けて、ベッドで使用中の電子カセッテをケーブルを介して外部装置に接続する際に、電子カセッテから伸びるケーブルの一部をこの把持部に引っ掛けて固定することにより、ケーブルの引き回しを気にすることなく電子カセッテを取り扱うことができるＸ線撮影用テーブルが提案されている（例えば、特許文献２参照）。
【特許文献１】特開２０００−２０６６３６号公報
【特許文献２】特開２００３−１０１７５号公報
【発明の開示】
【発明が解決しようとする課題】
【０００６】
しかし、特許文献２のＸ線撮影用テーブルでは、電子カセッテに設けられたケーブルやこのケーブルを把持するための把持部がベッドの上面や側面に設けられることになるため、ベッドに被検者が載る際や操作者が電子カセッテを取り扱う際に邪魔になる、という問題がある。
【０００７】
本発明は、撮影台において放射線画像検出器の充電や外部装置との通信を行う場合でも、ケーブルやコネクタが邪魔になることなく、放射線画像検出器の取り扱いを容易にすることができる放射線画像撮影台を提供することを目的とする。
【課題を解決するための手段】
【０００８】
上記目的を達成するために、第１の発明の放射線画像撮影台は、被検体を載置するための被検体載置台と、前記被検体を透過した放射線を前記被検体が前記被検体載置台に載置された状態で検出し、検出した放射線に応じた画像を生成する放射線画像検出器の充電、及び前記放射線画像検出器と外部装置との間の通信の少なくとも一方を行う際に、前記放射線画像検出器と接続可能で、かつ前記被検体載置台の上面及び側面から突出しないように前記被検体載置台に収納された接続手段とを含んで構成されている。
【０００９】
第１の発明の放射線画像撮影台によれば、被検体載置台に被検体を載置し、放射線画像検出器で、被検体を透過した放射線を被検体が被検体載置台に載置された状態で検出し、検出した放射線に応じた画像を生成する。この放射線画像検出器の充電、及び放射線画像検出器と外部装置との間の通信の少なくとも一方を行う際に、放射線画像検出器と接続可能で、かつ被検体載置台の上面及び側面から突出しないように被検体載置台に収納された接続手段と放射線画像検出器とを接続する。
【００１０】
このように、放射線画像検出器の充電、及び放射線画像検出器と外部装置との間の通信を、放射線画像撮影台に放射線画像検出器を置いたままで行うことができ、充電及び通信を行うために放射線画像検出器と接続される接続手段は、被検体載置台の上面及び側面から突出していないため、邪魔になることなく、放射線画像検出器の取り扱いを容易にすることができる。
【００１１】
また、第２の発明の放射線画像撮影台は、被検体を載置するための被検体載置台と、前記被検体を透過した放射線を前記被検体が前記被検体載置台に載置された状態で検出し、検出した放射線に応じた画像を生成する放射線画像検出器の充電、及び前記放射線画像検出器と外部装置との間の通信の少なくとも一方を行う際に、前記被検体載置台の上面または側面から突出して前記放射線画像検出器と接続可能で、かつ前記放射線画像検出器と接続されていない状態で、前記被検体載置台の上面及び側面から突出しないように前記被検体載置台に突出可能に収納される接続手段とを含んで構成されている。
【００１２】
第２の発明の放射線画像撮影台によれば、被検体載置台に被検体を載置し、放射線画像検出器で、被検体を透過した放射線を被検体が被検体載置台に載置された状態で検出し、検出した放射線に応じた画像を生成する。この放射線画像検出器の充電、及び放射線画像検出器と外部装置との間の通信の少なくとも一方を行う際に、放射線画像検出器と接続可能で、かつ放射線画像検出器と接続されていない状態で、被検体載置台の上面及び側面から突出しないように被検体載置台に突出可能に収納される接続手段と放射線画像検出器とを接続する。
【００１３】
このように、放射線画像検出器の充電、及び放射線画像検出器と外部装置との間の通信を、放射線画像撮影台に放射線画像検出器を置いたままで行うことができ、充電及び通信を行うために放射線画像検出器と接続される接続手段は、放射線画像検出器と接続されていない状態で、被検体載置台の上面及び側面から突出していないため、邪魔になることなく、放射線画像検出器の取り扱いを容易にすることができる。
【００１４】
また、前記接続手段を、前記被検体載置台の側面または上面に沿って移動可能に収納するように構成したり、前記被検体載置台の複数箇所に設けるように構成したりすることができる。これにより、放射線画像撮影台の設置場所や、放射線画像撮影台と放射線画像検出器の操作者との位置関係などに応じて、放射線画像検出器と接続手段との接続箇所を柔軟に選択することができ、より放射線画像検出器の取り扱いを容易にすることができる。
【発明の効果】
【００１５】
以上説明したように、撮影台において放射線画像検出器の充電や外部装置との通信を行う場合でも、ケーブルやコネクタが邪魔になることなく、放射線画像検出器の取り扱いを容易にすることができる、という効果が得られる。
【発明を実施するための最良の形態】
【００１６】
以下、図面を参照して本発明の実施の形態について詳細に説明する。
【００１７】
図１（Ａ）に示すように、第１の実施の形態に係る放射線画像撮影台１０は、放射線画像の撮影時には、天板１２上に被検体１９が載置され、天板１２と被検体１９との間に可搬性放射線画像検出器（以下、「電子カセッテ」という）２０が挿入される。放射線画像の撮影が指示されると、エックス線（Ｘ線）等の放射線を発生する放射線発生部１８は予め与えられた撮影条件等に応じた放射線量の放射線を射出する。放射線発生部１８から射出された放射線は、撮影位置に位置している被検体１９を透過することで画像情報を担持した状態で、電子カセッテ２０に照射される。これにより、電子カセッテ２０において、放射線画像が検出される。
【００１８】
なお、電子カセッテ２０としては、例えばアモルファスセレン等の放射線−電荷変換材料を用いて放射線を電荷へ直接変換する直接変換型の電子カセッテ、及び、例えばガドリニウム硫酸化物（ＧＯＳ）やヨウ化セシウム（ＣｓＩ）等の蛍光体材料によって放射線−光変換を行い、フォトダイオード等の光電変換素子によって光−電荷変換を行うことで、放射線を間接的に電荷へ変換する間接変換型の電子カセッテのいずれも使用することができる。
【００１９】
放射線画像撮影台１０は、被検体１９を載置するための天板１２を備えており、図１（Ｂ）に示すように、天板１２の一部（例えば、角部）には、電子カセッテ２０の充電及び外部装置との通信を行うための接続を可能とするコネクタ部１６が設けられている。
【００２０】
図２（Ａ）に示すように、コネクタ部１６は、電子カセッテ２０との接続面が天板１２の上面と略同一平面となるように天板１２内に収納されている。なお、コネクタ部１６の上面と天板１２の上面とは完全に同一平面である必要はなく、天板１２の上面及び側面からコネクタ部１６が突出しないように天板１２内に収納されていればよい。
【００２１】
コネクタ部１６は、図示しないケーブルを介してＡＣ電源及び外部装置であるコンソールと接続されており、電子カセッテ２０に設けられた接続部２２とコネクタ部１６とを接続することにより、電子カセッテ２０とＡＣ電源及びコンソールとの接続が可能となる。コネクタ部１６と電子カセッテ２０の接続部２２との接続は、コネクタ部１６と接続部２２とが接触することにより接続される構成としてもよいし、図２（Ｂ）に示すように、接続部２２を押下等することにより電子カセッテ２０の下面から突出させて、コネクタ部１６へ挿入することにより接続する構成としてもよい。
【００２２】
次に、第１の実施の形態の放射線画像撮影台１０の作用について説明する。
【００２３】
撮影時には、天板１２上に被検体１９が載置される。操作者は、撮影箇所（患部）に対応した位置で、天板１２と被検体１９との間に電子カセッテ２０を挿入し、放射線を照射する。
【００２４】
撮影が終了して、被検体１９が放射線画像撮影台１０から降りると、操作者は、図２（Ａ）及び図３に示すように、コネクタ部１６が設けられた位置まで電子カセッテ２０を天板１２上で移動させる。この際、天板１２の上面及び側面にはケーブルやコネクタが突出していないため、電子カセッテ２０を容易に移動させることができる。また、被検体１９にとっても、放射線画像撮影台１０へ乗り降りする際に障害がなく安全である。そして、接続部２２とコネクタ部１６とを接続する。なお、被検体１９を天板１２上に載置したまま、天板１２と被検体１９との間の電子カセッテ２０を引き抜いて、コネクタ部１６が設けられた位置まで電子カセッテ２０を移動させてもよい。
【００２５】
コネクタ部１６は、ケーブルを介してＡＣ電源と接続されているため、ＡＣ電源から電力が供給されて、電子カセッテ２０内のバッテリが消費された分、充電される。また、コネクタ部１６は、ケーブルを介してコンソールと接続されており、操作者の操作により画像データ転送の指示がなされると、電子カセッテ２０内に設けられたメモリに記憶された画像データがコンソールへ転送される。
【００２６】
なお、コンソールには、病院内の放射線科において取り扱われる放射線画像情報やその他の情報を統括的に管理する放射線科情報システム（ＲＩＳ：図示せず）が接続され、また、ＲＩＳには、病院内の医事情報を統括的に管理する医事情報システム（ＨＩＳ：図示せず）が接続されている。そのため、コンソールにおいて電子カセッテ２０の次の撮影に必要な消費電力を求めることができるので、その消費電力分に相当する電力を充電するように制御することができる。
【００２７】
バッテリの充電またはデータの転送が終了すると、電子カセッテ２０の接続部２２とコネクタ部１６との接続を解除する。電子カセッテ２０は、次の撮影に備えて、そのまま天板１２上に載置しておく。
【００２８】
以上説明したように、第１の実施の形態に係る放射線画像撮影台によれば、充電や通信を行うためのコネクタが放射線画像撮影台に設けられているため、充電や通信の都度、別の場所に設けられたカセッテスタンド等まで電子カセッテを持ち運ぶ必要がなく、放射線画像撮影台上で充電や通信を行うことができる。また、そのためのコネクタ部は、天板内に収納され、天板の上面及び側面から突出していないため、ケーブルやコネクタが天板の上面や側面に設けられている場合と比べ、被検体である患者が撮影台に乗り降りする際や操作者が電子カセッテを取り扱う際に、ケーブルやコネクタが障害になることがなく、取り扱いが容易となる。
【００２９】
なお、第１の実施の形態では、コネクタ部と電子カセッテとを天板の上面で接続する場合について説明したが、天板の側面で接続するように構成してもよい。例えば、図４及び図５に示すように、電子カセッテの接続部がコネクタ部との接続の際に電子カセッテ下面に突出する構成となっている場合には、電子カセッテの接続部を突出させて、天板の側面に収納され、電子カセッテとの接続面が天板の側面と略同一平面となっているコネクタ部と接続することができる。
【００３０】
次に、第２の実施の形態に係る放射線画像撮影台について説明する。なお、第１の実施の形態に係る放射線画像撮影台１０と同一の構成については、同一の符号を付して説明を省略する。
【００３１】
図６に示すように、第２の実施の形態に係る放射線画像撮影台１１０は、天板１２内に突出可能に収納されたコネクタ部１１６を備えている。コネクタ部１１６は、図６（Ａ）に示すように、天板１２内に収納されている状態では、第１の実施の形態の放射線画像撮影台１０と同様、コネクタ部１１６の上面と天板１２の上面とが略同一平面となる。図６（Ｂ）及び（Ｃ）に示すように、電子カセッテ２０の接続部２２と接続する際には、コネクタ部１１６を天板１２上面から突出させることにより、接続部２２と接続可能になる。
【００３２】
コネクタ部１１６を天板１２上面から突出させる機構としては、例えば、次のような機構を用いることができる。図７に示すように、コネクタ部１１６の一端にバネ３０を設け、このバネ３０によりコネクタ部１１６を突出側へ付勢する。図７（Ａ）及び（Ｂ）に示すように、収納時には、コネクタ部１１６の上面が天板１２の上面と略同一平面となる状態で、ストッパ３２をコネクタ部１１６の上面に係止しておく。ストッパ３２をコネクタ部１１６に係らない位置までスライドさせると、図７（Ｃ）及び（Ｄ）に示すように、バネ３０の付勢力によりコネクタ部１１６が天板１２上面から突出し、コネクタ部１１６の電子カセッテ２０との接続面が現れる。
【００３３】
また、他の突出機構としては、図８に示すように、コネクタ部１１６の下面に、コネクタ部１１６を突出側へ水平に付勢するバネ、棒、筒体で構成された押上部材３４を設ける。図８（Ａ）及び（Ｂ）に示すように、押上部材３４の棒が筒体に収容された状態で係止されている状態では、押上部材３４の上部に設けられたコネクタ部１１６が天板１２の上面に突出しないように収納される。この状態で、コネクタ部１１６の上面を所定位置まで押下すると、図８（Ｃ）及び（Ｄ）に示すように、押上部材３４の棒の係止状態が解除されて、バネの付勢力により棒がコネクタ部１１６を水平に押し上げて、天板１２上面からコネクタ部１１６が突出し、コネクタ部１１６の電子カセッテ２０との接続面が現れる。再びコネクタ部１１６を天板１２内に収納するには、押上部材３４の棒が筒体に収容されて係止される所定位置まで、コネクタ部１１６の上面を押下する。
【００３４】
なお、コネクタ部１１６の突出機構は、これらの具体例に限られず、コネクタ部１１６が、電子カセッテ２０の接続部２２と接続した状態では突出し、接続していない状態では天板１２の上面及び側面から突出しないように天板１２内に収納される構成であればよい。
【００３５】
次に、第２の実施の形態の放射線画像撮影台１１０の作用について、第１の実施の形態と異なる点について説明する。
【００３６】
撮影が終了して、被検体１９が放射線画像撮影台１１０から降りると、操作者は、コネクタ部１１６が設けられた位置まで電子カセッテ２０を天板１２上で移動させる。この際、天板１２の上面及び側面にはケーブルやコネクタが突出していないため、電子カセッテ２０を容易に移動させることができる。また、被検体１９にとっても、放射線画像撮影台１１０へ乗り降りする際に障害がなく安全である。そして、コネクタ部１１６を天板１２上面から突出させて、電子カセッテ２０の接続部２２とコネクタ部１１６とを接続する。バッテリの充電またはデータの転送が終了すると、電子カセッテ２０の接続部２２とコネクタ部１１６との接続を解除し、コネクタ部１１６を天板１２内に収納する。
【００３７】
以上説明したように、第２の実施の形態に係る放射線画像撮影台によれば、充電や通信を行うためのコネクタが放射線画像撮影台に設けられているため、充電や通信の都度、別の場所に設けられたカセッテスタンド等まで電子カセッテを持ち運ぶ必要がなく、放射線画像撮影台上で充電や通信を行うことができる。また、そのためのコネクタ部は、電子カセッテと接続されていない状態では天板内に突出可能に収納されているため、ケーブルやコネクタが天板の上面や側面に設けられている場合と比べ、被検体である患者が撮影台に乗り降りする際や操作者が電子カセッテを取り扱う際に、ケーブルやコネクタが障害になることがなく、取り扱いが容易となる。
【００３８】
なお、第２の実施の形態では、コネクタ部を天板の上面に突出させる場合について説明したが、天板の側面に突出させるようにしてもよい。
【００３９】
次に、第３の実施の形態に係る放射線画像撮影台について説明する。なお、第１の実施の形態に係る放射線画像撮影台１０と同一の構成については、同一の符号を付して説明を省略する。
【００４０】
図９に示すように、第３の実施の形態の放射線画像撮影台２１０は、長辺側面にガイド２５０（溝）が設けられた天板２１２を備え、天板２１２のガイド２５０内に移動可能にコネクタ部２１６が収納されている。図１０に示すように、コネクタ部２１６の形状を例えば凸横倒し形状とし、ガイド２５０の断面形状も同様の凸横倒し形状とすることにより、コネクタ部２１６をガイド２５０にスライド可能に係合し、かつ、コネクタ部２１６の電子カセッテ２０との接続面が、天板２１２の側面と略同一平面に保たれるように構成されている。なお、コネクタ部２１６の形状及びガイド２５０の断面形状は、これに限定されるものではない。
【００４１】
次に、第３の実施の形態の放射線画像撮影台２１０の作用について、第１の実施の形態と異なる点について説明する。
【００４２】
撮影が終了して、被検体１９が放射線画像撮影台２１０から降りると、操作者は、コネクタ部２１６が設けられている天板２１２の長辺側まで電子カセッテ２０を天板２１２上で移動させる。これとあわせて、コネクタ部２１６を、電子カセッテ２０と接続可能な位置までガイド２５０に沿ってスライドさせる。この際、天板２１２の上面及び側面にはケーブルやコネクタが突出していないため、電子カセッテ２０を容易に移動させることができる。また、被検体１９にとっても、放射線画像撮影台２１０へ乗り降りする際に障害がなく安全である。そして、電子カセッテ２０の接続部２２とコネクタ部２１６とを接続する。この際、図４及び図５に示した場合と同様に、電子カセッテ２０の接続部２２を突出させて、電子カセッテ２０との接続面が天板２１２の側面と略同一平面となっているコネクタ部２１６と接続することができる。バッテリの充電またはデータの転送が終了すると、電子カセッテ２０の接続部２２とコネクタ部１１６との接続を解除する。
【００４３】
以上説明したように、第３の実施の形態に係る放射線画像撮影台によれば、充電や通信を行うためのコネクタが放射線画像撮影台に設けられているため、充電や通信の都度、別の場所に設けられたカセッテスタンド等まで電子カセッテを持ち運ぶ必要がなく、放射線画像撮影台上で充電や通信を行うことができる。また、そのためのコネクタ部は、天板内に収納され、天板の上面及び側面から突出していないため、ケーブルやコネクタが天板の上面や側面に設けられている場合と比べ、被検体である患者が撮影台に乗り降りする際や操作者が電子カセッテを取り扱う際に、ケーブルやコネクタが障害になることがなく、取り扱いが容易となる。さらに、コネクタ部が天板の側面に設けられたガイドに沿って移動可能であるため、電子カセッテとコネクタ部との接続箇所を柔軟に決定することができ、取り扱いの容易さが更に向上する。
【００４４】
なお、第３の実施の形態では、天板の長辺側面にガイドを設ける場合について説明したが、天板の短辺側面に設けてもよいし、図１１に示すように、天板２１２上面の端部領域にガイド２５２（溝）を設け、このガイド２５２内にコネクタ部２１６をスライド可能に、かつコネクタ部２１６の電子カセッテ２０との接続面が天板２１２上面と略同一平面となるように収納するようにしてもよい。
【００４５】
また、第３の実施の形態では、コネクタ部を天板に設けられたガイド（溝）に沿ってスライドさせる場合について説明したが、図１２に示すように、コネクタ部２１６を天板２１２下面に設けられたレール２５４に沿ってスライド可能に設けるようにしてもよい。
【００４６】
また、上記第１〜第３の実施の形態では、コネクタ部を１個設ける場合について説明したが、コネクタ部を複数設けるように構成してもよい。例えば、第１または第２の実施の形態であれば、図１３（Ａ）に示すように、天板１２上面または側面の４角にそれぞれ１個ずつ計４個のコネクタ部１６または１１６を設けるようにしてもよい。また、第３の実施の形態であれば、図１３（Ｂ）に示すように、１つのガイド２５０または２５２内に複数のコネクタ部２１６を設けてもよいし、天板２１２のガイドを天板の２辺以上に設けてもよいし、図１３（Ｃ）に示すように、天板２１２の上面端部領域または側面を１周するようにガイド２５０、２５２、または２５４（溝またはレール）を設けてもよい。
【００４７】
また、上記第１〜第３の実施の形態の構成を適宜組み合わせた構成としてもよい。例えば、図１４に示すように、天板１２（２１２）の短辺側面には、第１の実施の形態のような収納された状態のまま接続されるコネクタ部１６を設け、天板１２（２１２）の上面には、第２の実施の形態のような突出機構を備えたコネクタ部１１６を設け、天板１２（２１２）の長辺側面には、第３の実施の形態のようなガイド２５０に沿ってスライドするコネクタ部２１６を設けるようにすることができる。これにより、様々なタイプの電子カセッテの充電及びデータ転送について１台の放射線画像撮影台で対応可能となる。
【００４８】
また、第２の実施の形態と第３の実施の形態とを組み合わせて、スライドするコネクタ部に突出機構を設けるように組み合わせてもよい。この場合、突出機構を備えたコネクタ部をケースに収納し、このケースごと天板に設けたガイド内をスライドさせるようにするとよい。
【図面の簡単な説明】
【００４９】
【図１】第１の実施の形態に係る放射線画像撮影台の概略を示す（Ａ）側面図、及び（Ｂ）天板部分の平面図である。
【図２】第１の実施の形態に係る放射線画像撮影台において、天板の上面で電子カセッテと接続する場合の状態を示す側面図である。
【図３】天板上での電子カセッテの移動を説明するための図である。
【図４】第１の実施の形態に係る放射線画像撮影台において、天板の側面で電子カセッテと接続する場合の一例を示す側面図である。
【図５】第１の実施の形態に係る放射線画像撮影台において、天板の側面で電子カセッテと接続する場合の他の一例を示す側面図である。
【図６】第２の実施の形態に係る放射線画像撮影台において、天板の上面で電子カセッテと接続する場合の一例を示す側面図である。
【図７】第２の実施の形態に係る放射線画像撮影台のコネクタ部の突出機構の一例を示す概略図である。
【図８】第２の実施の形態に係る放射線画像撮影台のコネクタ部の突出機構の他の一例を示す概略図である。
【図９】第３の実施の形態に係る放射線画像撮影台の概略を示す天板部分の平面図である。
【図１０】第３の実施の形態に係る放射線画像撮影台の概略を示すコネクタ部分の側面図である。
【図１１】第３の実施の形態に係る放射線画像撮影台の概略の他の例を示す（Ａ）天板部分の平面図、及び（Ｂ）コネクタ部分の側面図である。
【図１２】第３の実施の形態に係る放射線画像撮影台の概略の他の例を示すコネクタ部分の側面図である。
【図１３】（Ａ）コネクタ部を複数設けた場合の一例を示す天板部分の平面図、（Ｂ）ガイド及びコネクタ部を複数設けた場合の一例を示す斜視図、及び（Ｃ）ガイドを天板の上面端部領域または側面を１周するように設けた場合の一例を示す天板部分の平面図である。
【図１４】各実施の形態を組み合わせた場合の一例を示す放射線画像撮影台の概略を示す斜視図である。
【符号の説明】
【００５０】
１０、１１０、２１０ 放射線画像撮影台
１２、２１２  天板
１６、１１６、２１６ コネクタ部
２０   電子カセッテ
２２   電子カセッテの接続部
【図１】
2010115390.tif 000003
【図２】
2010115390.tif 000004
【図３】
2010115390.tif 000005
【図４】
2010115390.tif 000006
【図５】
2010115390.tif 000007
【図６】
2010115390.tif 000008
【図７】
2010115390.tif 000009
【図８】
2010115390.tif 000010
【図９】
2010115390.tif 000011
【図１０】
2010115390.tif 000012
【図１１】
2010115390.tif 000013
【図１２】
2010115390.tif 000014
【図１３】
2010115390.tif 000015
【図１４】
2010115390.tif 000016